【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
画像形成装置が、
通信ネットワークを介して文書マネジャー手段に前記画像形成装置を接続するステップと、
前記文書マネジャー手段に、文書を記憶するための文書記憶用メニュー情報を要求するステップと、
前記要求に応答して前記文書マネジャー手段より送信されてきた前記文書記憶用メニュー情報を受信するステップと、
前記文書記憶用メニュー情報に基づきメニュー画面を前記画像形成装置の表示スクリーンに表示するステップと、
前記表示スクリーンに表示されたメニュー画面の操作により文書を記憶する記憶場所を含む記憶要求を入力するステップと、
前記画像形成装置が備えるスキャナユニットにより文書をスキャンして、該文書を電子化するステップと、
前記電子化された文書を前記記憶場所へ送信するステップと、
を実行することを特徴とする文書管理方法。
【請求項２】
前記画像形成装置が、
ユーザＩＤを受信するステップと、
受信したユーザＩＤに基づいて前記文書記憶用メニュー情報をカスタマイズするステップとをさらに備える、
ことを特徴とする請求項１に記載の文書管理方法。
【請求項３】
前記記憶場所は、アプリケーションサービスプロバイダシステムである、
ことを特徴とする請求項１に記載の文書管理方法。
【請求項４】
前記文書マネジャー手段が、
前記画像形成装置からユーザＩＤを受信するステップと、
前記ユーザＩＤに基づいてカスタマイズされたメニューを選択するステップと、
前記選択されたカスタマイズされたメニューを前記画像形成装置に送信するステップと、をさらに備える、
ことを特徴とする請求項２に記載の文書管理方法。
【請求項５】
前記電子化された文書に対して、アクセスレベルを設定するステップを備える、
ことを特徴とする請求項１記載の文書管理方法。
【請求項６】
前記電子化された文書の前記記憶場所への送信は、前記文書マネジャー手段を介して実行される、
ことを特徴とする請求項１記載の文書管理方法。
【請求項７】
通信ネットワークを介して接続される前記文書マネジャー手段に対し、文書を抽出するための文書抽出用メニュー情報を要求するステップと、
前記要求に応答して前記文書マネジャー手段より送信されてきた前記文書抽出用メニュー情報を受信するステップと、
前記文書抽出用メニュー情報に基づきメニュー画面を前記画像形成装置の表示スクリーンに表示するステップと、
文書を抽出する抽出要求を入力するステップと、
を備えることを特徴とする請求項１記載の文書管理方法。
【請求項８】
文書マネジャー手段を通信ネットワークを介して画像形成装置に接続する手段と、
前記文書マネジャー手段に、文書を記憶するための文書記憶用メニュー情報を要求する手段と、
前記文書記憶用メニュー情報を受信する手段と、
前記文書記憶用メニュー情報に基づきメニュー画面を前記画像形成装置の表示スクリーンに表示する手段と、
前記表示スクリーンに表示されたメニュー画面の操作により文書を記憶する記憶場所を含む記憶要求を受信する手段と、
前記画像形成装置が備えるスキャナユニットにより文書をスキャンして、該文書を電子化する手段と、
前記電子化された文書を前記記憶場所へ送信する手段と、
を備えることを特徴とする文書管理システム。
【請求項９】
前記文書記憶用メニュー情報を受信する手段は、前記通信ネットワークを介して前記文書マネジャー手段から前記文書記憶用メニュー情報を受信する手段を備える、
ことを特徴とする請求項８に記載の文書管理システム。
【請求項１０】
前記記憶場所は、アプリケーションサービスプロバイダシステムである、
ことを特徴とする請求項８に記載の文書管理システム。
【請求項１１】
前記画像形成装置からユーザＩＤを受信する手段と、
前記ユーザＩＤに基づいてカスタマイズされたメニューを選択する手段と、
前記選択されたカスタマイズされたメニューを前記前記画像形成装置に送信する手段と、
をさらに備えることを特徴とする請求項１０に記載の文書管理システム。
【請求項１２】
前記電子化された文書に対して、アクセスレベルを設定する手段を備える、
ことを特徴とする請求項８記載の文書管理システム。
【請求項１３】
前記電子化された文書の前記記憶場所への送信は、前記文書マネジャー手段を介して実行される、
ことを特徴とする請求項８記載の文書管理システム。
【請求項１４】
通信ネットワークを介して接続される前記文書マネジャー手段に対し、文書を抽出するための文書抽出用メニュー情報を要求する手段と、
前記要求に応答して前記文書マネジャー手段より送信されてきた前記文書抽出用メニュー情報を受信する手段と、
前記文書抽出用メニュー情報に基づきメニュー画面を前記画像形成装置の表示スクリーンに表示する手段と、
文書を抽出する抽出要求を入力する手段と、
を備えることを特徴とする請求項８記載の文書管理システム。
【請求項１５】
コンピュータに文書を管理させるためのプログラムであって、
コンピュータを、
通信ネットワークを介して画像形成装置を文書マネジャー手段に接続する第１の手段、
前記文書マネジャー手段に対し、文書を記憶するための文書記憶用メニュー情報を要求する第２の手段、
前記要求に応答して前記文書マネジャー手段より送信されてきた前記文書記憶用メニュー情報を受信する第３の手段、
前記文書記憶用メニュー情報に基づきメニュー画面を前記画像形成装置の表示スクリーンに表示する第４の手段、
前記表示スクリーンに表示されたメニュー画面の操作により文書を記憶する記憶場所を含む記憶要求を受信する第５の手段、
前記画像形成装置が備えるスキャナユニットにより文書をスキャンして、該文書を電子化する第６の手段、
前記画像形成装置から前記文書マネジャー手段に対し、前記電子化された文書及び前記記憶場所に関する情報を送信する第７の手段、
として機能させるためのコンピュータプログラム。
【請求項１６】
前記電子化された文書に対して、アクセスレベルを設定する第８の手段を備える、
ことを特徴とする請求項１５記載のコンピュータプログラム。
【請求項１７】
前記電子化された文書の前記記憶場所への送信は、前記文書マネジャー手段を介して実行される、
ことを特徴とする請求項１５記載のコンピュータプログラム。
【請求項１８】
通信ネットワークを介して接続される前記文書マネジャー手段に対し、文書を抽出するための文書抽出用メニュー情報を要求する第９の手段と、
前記要求に応答して前記文書マネジャー手段より送信されてきた前記文書抽出用メニュー情報を受信する第１０の手段と、
前記文書抽出用メニュー情報に基づきメニュー画面を前記画像形成装置の表示スクリーンに表示する第１１の手段と、
文書を抽出する抽出要求を入力する第１２の手段と、
を備えることを特徴とする請求項１５記載のコンピュータプログラム。
【請求項１９】
通信ネットワークを介して接続される文書マネジャー手段に対し、文書を記憶するための文書記憶用メニュー情報を要求する手段と、
前記要求に応答して前記文書マネジャー手段より送信されてきた前記文書記憶用メニュー情報を受信する手段と、
前記文書記憶用メニュー情報に基づきメニュー画面を画像形成装置の表示スクリーンに表示する手段と、
文書を記憶する記憶場所を含む記憶要求を入力する手段と、
前記画像形成装置が備えるスキャナユニットにより文書をスキャンして、該文書を電子化する手段と、
前記電子化された文書を前記記憶場所へ送信する手段と、
を備えることを特徴とする画像形成装置。
【請求項２０】
前記電子化された文書に対して、アクセスレベルを設定する手段を備える、
ことを特徴とする請求項１９記載の画像形成装置。
【請求項２１】
前記電子化された文書の前記記憶場所への送信は、前記文書マネジャー手段を介して実行される、
ことを特徴とする請求項１９記載の画像形成装置。
【請求項２２】
通信ネットワークを介して接続される前記文書マネジャー手段に対し、文書を抽出するための文書抽出用メニュー情報を要求する手段と、
前記要求に応答して前記文書マネジャー手段より送信されてきた前記文書抽出用メニュー情報を受信する手段と、
前記文書抽出用メニュー情報に基づきメニュー画面を前記画像形成装置の表示スクリーンに表示する手段と、
文書を抽出する抽出要求を入力する手段と、
を備えることを特徴とする請求項１９記載の画像形成装置。
【手続補正２】
【補正対象書類名】明細書
【補正対象項目名】０００９
【補正方法】変更
【補正の内容】
【０００９】
上記目的を達成するため、本発明の第１の観点に係る文書管理方法は、
画像形成装置が、
通信ネットワークを介して文書マネジャー手段に前記画像形成装置を接続するステップと、
前記文書マネジャー手段に、文書を記憶するための文書記憶用メニュー情報を要求するステップと、
前記要求に応答して前記文書マネジャー手段より送信されてきた前記文書記憶用メニュー情報を受信するステップと、
前記文書記憶用メニュー情報に基づきメニュー画面を前記画像形成装置の表示スクリーンに表示するステップと、
前記表示スクリーンに表示されたメニュー画面の操作により文書を記憶する記憶場所を含む記憶要求を入力するステップと、
前記画像形成装置が備えるスキャナユニットにより文書をスキャンして、該文書を電子化するステップと、
前記電子化された文書を前記記憶場所へ送信するステップと、を備える、
ことを特徴とする。
【手続補正３】
【補正対象書類名】明細書
【補正対象項目名】００１０
【補正方法】変更
【補正の内容】
【００１０】
上記目的を達成するため、本発明の第２の観点に係る文書管理システムは、
文書マネジャー手段を通信ネットワークを介して画像形成装置に接続する手段と、
前記文書マネジャー手段に、文書を記憶するための文書記憶用メニュー情報を要求する手段と、
前記文書記憶用メニュー情報を受信する手段と、
前記文書記憶用メニュー情報に基づきメニュー画面を前記画像形成装置の表示スクリーンに表示する手段と、
前記表示スクリーンに表示されたメニュー画面の操作により文書を記憶する記憶場所を含む記憶要求を受信する手段と、
前記画像形成装置が備えるスキャナユニットにより文書をスキャンして、該文書を電子化する手段と、
前記電子化された文書を前記記憶場所へ送信する手段と、を備える、
ことを特徴とする。
また、上記目的を達成するため、本発明の第３の観点に係るコンピュータプログラムは、
コンピュータに文書を管理させるためのプログラムであって、
コンピュータを、
通信ネットワークを介して画像形成装置を文書マネジャー手段に接続する第１の手段、
前記文書マネジャー手段に対し、文書を記憶するための文書記憶用メニュー情報を要求する第２の手段、
前記要求に応答して前記文書マネジャー手段より送信されてきた前記文書記憶用メニュー情報を受信する第３の手段、
前記文書記憶用メニュー情報に基づきメニュー画面を前記画像形成装置の表示スクリーンに表示する第４の手段、
前記表示スクリーンに表示されたメニュー画面の操作により文書を記憶する記憶場所を含む記憶要求を受信する第５の手段、
前記画像形成装置が備えるスキャナユニットにより文書をスキャンして、該文書を電子化する第６の手段、
前記画像形成装置から前記文書マネジャー手段に対し、前記電子化された文書及び前記記憶場所に関する情報を送信する第７の手段、として機能させる
ことを特徴とする。
また、上記目的を達成するため、本発明の第４の観点に係る画像形成装置は、
通信ネットワークを介して接続される文書マネジャー手段に対し、文書を記憶するための文書記憶用メニュー情報を要求する手段と、
前記要求に応答して前記文書マネジャー手段より送信されてきた前記文書記憶用メニュー情報を受信する手段と、
前記文書記憶用メニュー情報に基づきメニュー画面を画像形成装置の表示スクリーンに表示する手段と、
文書を記憶する記憶場所を含む記憶要求を入力する手段と、
前記画像形成装置が備えるスキャナユニットにより文書をスキャンして、該文書を電子化する手段と、
前記電子化された文書を前記記憶場所へ送信する手段と、を備える
ことを特徴とする。